(57)【要約】【課題】圧接結線用コネクタにおいて、複数種類の電線径に対応するための部品点数が少なくて済むとともに、品種間違いのトラブル発生の確立も低減でき、在庫を少なくする。【解決手段】電線保持ブロックと、このブロックが嵌合されることで電線が圧接結合される圧接端子を保持するコンタクトブロックとを備え、コンタクトブロックには、電線保持ブロックが嵌合される開口面に臨んで圧接端子のＵ字状の刃が立設保持され、電線保持ブロックには、電線を挿通せしめこれを保持する保持孔と、圧接端子のＵ字状の刃を受け入れる受入溝とが形成されている。圧接端子のＵ字状の刃は、上下方向に異なる２種類のスリット幅を段差状に持つ芯線圧接用刃と電線保持用刃とを備え、電線の外形に応じて、電線保持用スリット（上段）５３ａ又は電線保持用スリット（下段）５３ｂで電線を保持させる。【選択図】図７
2006236854.tif 000002
【特許請求の範囲】
【請求項１】
電線を保持する電線保持ブロックと、この電線保持ブロックが嵌合されることで電線が圧接結合される圧接端子を保持するコンタクトブロックとを備え、
前記コンタクトブロックには、前記電線保持ブロックが嵌合される開口面に臨んで前記圧接端子のＵ字状の刃が立設保持され、
前記電線保持ブロックには、電線を後方から挿通せしめこれを保持する保持孔が形成された電線保持部と、前記圧接端子のＵ字状の刃を受け入れる受入溝とが形成されている圧接結線用コネクタであって、
前記圧接端子のＵ字状の刃は、電線の挿通方向に奥側より順に、上下方向に異なる２種類のスリット幅を段差状に持つ芯線圧接用刃と、上下方向に異なる２種類のスリット幅を段差状に持つ電線保持用刃とを備えていることを特徴とする圧接結線用コネクタ。
【請求項２】
前記電線保持ブロックとして、その保持孔が前記Ｕ字状刃の２種類のスリット幅の上下高さ位置に対応したものを２種類用意しておくことを特徴とする請求項１に記載の圧接結線用コネクタ。
【発明の詳細な説明】
【技術分野】
【０００１】
本発明は、電線(リード線又はケーブル等)を圧接端子に圧接することで電気的に接続を図る圧接結線用コネクタに関する。
【背景技術】
【０００２】
従来、この種のコネクタとして、圧接ブロック（電線保持ブロック）と端子ブロック（コンタクトブロック）とを互いの一端部で一体的に連結した絶縁ハウジングを形成し、圧接ブロックに保持させたケーブルを端子ブロックの圧接端子溝内に圧入することにより圧接結線を行うものがある(例えば、特許文献1参照)。このようなクランプタイプの圧接結線用コネクタにおいては、作業性が良く、確実な挿入作業が行える。
【０００３】
しかしながら、かかる従来の圧接結線用コネクタにおいては、断面積が複数種類の電線（例えばＡＷＧ２０〜２６程度）に対応するために、複数種類の電線保持ブロック（電線保持用穴径違い）と、端子ブロックとを揃えており、これら複数種類の組み合わせを使用している。このために、複数種類の電線径に対応するための部品点数が嵩むとともに在庫が多くなり、品種間違いのトラブル発生の確立も高くなっていた。
【特許文献１】特開平９−３５７７１号公報
【発明の開示】
【発明が解決しようとする課題】
【０００４】
本発明は、このような問題を解消するものであり、複数種類の電線径に対応するための部品点数が少なくて済むとともに、品種間違いのトラブル発生の確立も低減でき、在庫を少なくすることが可能な圧接結線用コネクタを提供することを目的とする。
【課題を解決するための手段】
【０００５】
上記目的を達成するために、本発明は、電線を保持する電線保持ブロックと、この電線保持ブロックが嵌合されることで電線が圧接結合される圧接端子を保持するコンタクトブロックとを備え、前記コンタクトブロックには、前記電線保持ブロックが嵌合される開口面に臨んで前記圧接端子のＵ字状の刃が立設保持され、前記電線保持ブロックには、電線を後方から挿通せしめこれを保持する保持孔が形成された電線保持部と、前記圧接端子のＵ字状の刃を受け入れる受入溝とが形成されている圧接結線用コネクタであって、前記圧接端子のＵ字状の刃は、電線の挿通方向に奥側より順に、上下方向に異なる２種類のスリット幅を段差状に持つ芯線圧接用刃と、上下方向に異なる２種類のスリット幅を段差状に持つ電線保持用刃とを備えているものである。
また、前記電線保持ブロックとして、その保持孔が前記Ｕ字状刃の２種類のスリット幅の上下高さ位置に対応したものを２種類用意しておくことことが望ましい。
【発明の効果】
【０００６】
本発明の圧接結線用コネクタによれば、上下方向に異なる２種類のスリット幅を段差状に持つ芯線圧接用Ｕ字状刃と電線保持用Ｕ字状刃とを備えるので、１種又は少ない種類のコネクタを揃えるだけで、電線径の大小に拘わらず適切に芯線圧着及び電線保持が可能となる。このため、小品種で複数種類の電線径に対応可能で、部品点数が少なくて済み、品種間違いのトラブル発生も低減でき、在庫を少なくすることができる。
【発明を実施するための最良の形態】
【０００７】
以下に、本発明に係る圧接結線用コネクタの一実施形態について図面を参照して説明する。図１乃至図３に示すように、本実施形態の圧接結線用コネクタ１は、複数本（本例では４本）の電線４を保持する電線保持ブロック２と、この電線保持ブロック２が嵌合されることで電線が圧接結合されるコンタクトブロック３とを備えている。各ブロック２，３は絶縁性の樹脂成形品で成る。電線保持ブロック２は、互いに重ね合わされることで電線４を保持する電線保持部を形成する上ブロック１０と下ブロック２０とから成る。コンタクトブロック３は、本例では４個の圧接端子５を保持しており、不図示のコンセントに差し込まれるプラグとなる。圧接端子５の前端部５ａは、コンセントの導電部との接触ピンとなる。
【０００８】
圧接端子５は、細径から太径まで複数種類の電線径の圧接接続に対応可能とするために、図２に示すように、Ｕ字状の刃が立設保持されている。このＵ字状の刃は、圧接端子５の前端部５ａ側から順に、すなわち、電線の挿通方向に奥側より順に、上下（高さ）方向に異なる２種類のスリット幅を段差状に持つ芯線圧接用Ｕ字刃５１と、同じく上下（高さ）方向に異なる２種類のスリット幅を段差状に持つ電線保持用Ｕ字刃５３とを備えている。すなわち、芯線圧接用Ｕ字刃５１は、芯線圧接用スリット（上段）５１ａ、及び芯線圧接用スリット（下段）５１ｂを持ち、電線保持用Ｕ字刃５３は、電線保持用スリット（上段）５３ａ、及び電線保持用スリット（下段）５３ｂを持つ。各Ｕ字刃とも、スリットの上端部はＶ字状に広がっていて、押し下げられる電線４を受け止め易くしている。
【０００９】
コンタクトブロック３には、重ね合わせた電線保持ブロック２が嵌合される面が開口し、この開口面３１に臨んで圧接端子５の各Ｕ字刃が立設保持されている。コンタクトブロック３の開口面３１の内面には、電線保持ブロック２を係止するための凹部３３などが形成されている。
【００１０】
電線保持ブロック２の上下ブロック１０，２０には、電線４を後方から挿入せしめ、これを保持する電線保持部を構成する複数の保持孔２３が形成され、また、圧接端子５の各Ｕ字刃５１，５３を受け入れる複数の受入溝２５が形成されている。
【００１１】
上ブロック１０の側面には、突起１２，仮止め用突出片１３が形成されており、下ブロック２０の側面には、上下方向に伸びる溝２６、突起２２が形成されている。なお、仮止め用突出片１３の下面及び突起２２の下面は嵌合を容易とするためにテーパ形状とされている。
【００１２】
上下ブロック１０，２０を重ね合わせて一体化すると、図３の右上図に示されるように、仮止め用突出片１３が溝２６にスライドして嵌まり込む。この一体化した電線保持ブロック２をコンタクトブロック３の開口部３１内に嵌合させる。仮止め用突出片１３が凹部３３に係合すると、図３の右下図に示されるように、電線保持ブロック２はコンタクトブロック３に対して半嵌合した仮止め状態となる。圧接結線用コネクタ１は、この仮止め状態で納品状態となり、実使用に供される。
【００１３】
実使用においては、図３に示すように、上記仮止め状態の電線保持ブロック２に、被覆された電線４を挿通、保持させた後、電線保持ブロック２をコンタクトブロック３にさらに押し込む。この押し込みは、実際にはペンチなどの工具を用いる。同ブロック２の互いに上下に当接して一体になった突起１２，２２が、コンタクトブロック３に設けた凹部３３内に係合すると、抜け止めが成される。この嵌合動作により、詳細は以下に説明するが、電線４の被覆は芯線圧接用Ｕ字刃５１により破断され、電線４の芯線と圧接端子５との電気的接続が成される。
【００１４】
図４は圧接端子５の詳細構成を示す。芯線圧接用Ｕ字刃５１において、芯線圧接用スリット（上段）５１ａは、例えばスリット幅０．３ｍｍとされ、芯線圧接用スリット（下段）５１ｂは、例えばスリット幅０．２ｍｍとされ、スリット幅は下段の方が上段よりも狭くなっている。また、電線保持用Ｕ字刃５３において、電線保持用スリット（上段）５３ａは、例えばスリット幅０．８ｍｍとされ、電線保持用スリット（下段）５３ｂは、例えばスリット幅０．５ｍｍとされ、スリット幅は下段の方が上段よりも狭くなっている。また、芯線圧接用Ｕ字刃５１と電線保持用Ｕ字刃５３の全高さは同じとされ、各スリットの段差の高さ（ｈ１）位置も同じとされている。
【００１５】
次に、コンタクトブロック３と電線保持ブロック２の構成について、図５乃至図７を参照して説明する。図５は、コンタクトブロック３に電線保持ブロック２を半嵌合した状態で、芯線圧接用Ｕ字刃５１及び電線保持用Ｕ字刃５３を透視して示す。図６（ａ）（ｂ）は、２種類用意した電線保持ブロック２ａ，２ｂを、（ｃ）はコンタクトブロック３を示し、図７（ａ）（ｂ）は、２種類の電線保持ブロック２ａ（下段スリット用），２ｂ（上段スリット用）を、（ｃ）はコンタクトブロック３での各種径の電線保持位置を示している。ここに、一方の電線保持ブロック２ａは、電線保持孔２３ａが芯線圧接用スリット（下段）５１ｂの上下高さ位置に対応したものであり、他方の電線保持ブロック２ｂは、電線保持孔２３ｂが芯線圧接用スリット（上段）５１ａの上下高さ位置に対応したものである。これは、電線保持用スリット（下段）５３ｂ及び電線保持用スリット（上段）５３ａの上下高さ位置に対応したものでもある。なお、各ブロックの個々の構成については、後述の図８乃至図２４により明らかになろう。
【００１６】
図５乃至図７において、各電線保持ブロック２ａ，２ｂの電線保持孔２３ａ，２３ｂは、上下ブロック１０，２０の各々に設けられた断面略半円形の樋状凹部が合わせられることで、後方の電線挿入口２７側より電線の挿通方向に形成される。電線保持孔２３ａは、細い電線用として、例えば口径φ１．２（ｍｍ）であり、内径が小さく、中心軸が低い位置に設けられている。電線保持孔２３ｂは、太い電線用として、例えば口径φ２（ｍｍ）であり、内径が大きく中心軸が高い位置に設けられている。下ブロック２０の電線保持孔の電線挿通方向奥側には、挿入された電線の先端を押し上げる押し上げ片２８が設けられ、また、上ブロック１０の電線挿通方向奥側には、電線の先端を当接させる当て部２９が設けられている。また、隣り合う圧接端子５は、それぞれの芯線圧接用Ｕ字刃５１と電線保持用Ｕ字刃５３の電線挿通方向位置が互い違いにずれてコンタクトブロック３に配置されている。これにより、コンタクトブロック３の横幅寸法を小さくできる。
【００１７】
実使用に際しては、仮止め状態の電線保持ブロック２ａ又は２ｂの電線保持孔２３ａ又は２３ｂに当該ブロックの後方の電線挿入口２７から電線４（撚り芯線と被覆から成る）を挿通させる。電線４は、電線保持孔２３ａ又は２３ｂに進入し、この孔内において押し上げ片２８を押しのけて進み、当て部２９に先端部が当接して、挿通が停止される。
【００１８】
このように電線４を挿通、保持させた後、電線保持ブロック２ａ又は２ｂをコンタクトブロック３に対して押し込む。この押し込み動作時に、電線保持ブロック２ａ又は２ｂの各受入溝２５に圧接端子５の芯線圧接用Ｕ字刃５１及び電線保持用Ｕ字刃５３が入っていき、電線４は電線保持ブロック２ａ又は２ｂの電線保持孔２３ａ又は２３ｂの上壁面で押され、各Ｕ字刃により、被覆が切断される。これにより、電線４の芯線が芯線圧接用Ｕ字刃５１のスリット内に圧接され、圧接端子５と電線４とが電気的に導通することになる。また、電線４の被覆に電線保持用Ｕ字刃５３が食い込むことで、電線４の抜け止めが成される。
【００１９】
図７（ｃ）には、仮止め状態の電線保持ブロック２ａ，２ｂに各種外形の電線を保持させてからさらに押し込んだときの、圧接端子５の電線保持用Ｕ字刃５３に対する電線保持位置を示す。Ａ，Ｂ，Ｃ，及びＤは、それぞれ外形φ１．２，φ０．８，φ１．３，及びφ２（ｍｍ）の各電線保持（圧接）位置である。外円は電線外形に相当し、内円は芯線に相当する。ここに、Ａ，Ｂは、下段スリット用の電線保持ブロック２ａを用いて押し込んだ状態であり、Ｃ，Ｄは、上段スリット用の電線保持ブロック２ｂを用いて押し込んだ状態である。Ａ，Ｂでは、芯線が電線保持用スリット（下段）５３ｂに圧接され、Ｃ，Ｄでは、芯線が電線保持用スリット（上段）５３ａに圧接される。このことは、電線保持用Ｕ字刃５３と高さ位置が同じである芯線圧接用Ｕ字刃５１の芯線圧接用スリット（上段）５１ａ及び芯線圧接用スリット（下段）５１ｂについても同等のことが言える。
【００２０】
このように、電線の外形に応じて、電線保持ブロック２ａ，２ｂを使い分けることで、圧接端子５が、上下方向に２種類のスリット幅を持つ芯線圧接用Ｕ字刃５１と電線保持用Ｕ字刃５３とを備えているので、細径から太径まで複数種類の電線径について適宜の刃でもって芯線圧着及び電線保持が可能となる。
【００２１】
次に、図８乃至図２４を参照して、電線保持ブロック２（ここでは２ｂ）の上ブロック１０と下ブロック２０の詳細構成を説明する。
【００２２】
図８乃至図１３は、上ブロック１０を示す。上ブロック１０は、複数並設された電線保持孔２３の上半分を構成する樋状の壁面と、圧接端子５の芯線圧接用Ｕ字刃５１及び電線保持用Ｕ字刃５３を受け入れる複数の受入溝２５などを有している（図では、符号は一部のみに付している）。その他の構成は、前述した通りである。
【００２３】
図１４乃至図１９は、下ブロック２０を示す。下ブロック２０は、複数並設された電線保持孔２３の下半分を構成する樋状の壁面と、圧接端子５の芯線圧接用Ｕ字刃５１及び電線保持用Ｕ字刃５３を受け入れる複数の受入溝２５などを有している。この受入溝２５は、上下に貫通した溝である。その他の構成は、前述した通りである。
【００２４】
図２０乃至図２２は、上ブロック１０と下ブロック２０とを重ね合わせ一体化した状態を示す。図２１は図８及び図１４のＡ−Ａ断面に相当し、図２２は図８及び図１４のＢ−Ｂ断面に相当する。
【００２５】
図２３乃至図２４は、コンタクトブロック３の構成を示す。コンタクトブロック３は、複数の圧接端子５を保持固定するための複数の溝部３４を有する。その他の構成は、前述した通りである。
【００２６】
以上のように、本実施形態に係る圧接結線用コネクタ１によれば、電線保持ブロック２の仮止め状態から同ブロック２を更に強く押し込んでコンタクトブロック３に嵌合させるだけで、圧接端子５の芯線圧接用Ｕ字刃５１及び電線保持用Ｕ字刃５３が電線保持ブロック２の受入溝２５内に入り込み、電線４の被覆を破断し、芯線が圧接端子５に電気的に接続される。ここに、上下方向に異なる２種類のスリット幅を段差状に持つ芯線圧接用Ｕ字状刃と電線保持用Ｕ字状刃とを備えるので、少ない品種のコンタクタで複数種類の外径の電線に対応可能となる。また、品種間違いを低減できるとともに、在庫を少なくすることが可能となる。
【図面の簡単な説明】
【００２７】
【図１】本発明の一実施形態に係る圧接結線用コネクタの分解斜視図。
【図２】同圧接結線用コネクタにおける圧接端子の斜視図。
【図３】同圧接結線用コネクタにおけるコンタクトブロックに電線保持ブロックを嵌合する状況を示す斜視図。
【図４】（ａ）は同圧接端子の平面図、（ｂ）は同圧接端子の側面図、（ｃ）は同圧接端子の正面図、（ｄ）は同圧接端子の背面図。
【図５】同圧接結線用コネクタの平面図。
【図６】（ａ）は同圧接結線用コネクタにおける電線保持ブロックの一種の断面図、（ｂ）は電線保持ブロックの他種の断面図、（ｃ）はコンタクトブロックの断面図。
【図７】（ａ）は同圧接結線用コネクタにおける電線保持ブロックの一種の正面図、（ｂ）は電線保持ブロックの他種の正面図、（ｃ）はコンタクトブロックの背面図。
【図８】同圧接結線用コネクタにおける上ブロックの平面図。
【図９】同上ブロックの底面図。
【図１０】図８のＡ−Ａ断面図。
【図１１】図８のＢ−Ｂ断面図。
【図１２】図８のＣ−Ｃ断面図。
【図１３】図８のＤ−Ｄ断面図。
【図１４】同圧接結線用コネクタにおける下ブロックの平面図。
【図１５】同下ブロックの底面図。
【図１６】図１４のＡ−Ａ断面図。
【図１７】図１４のＢ−Ｂ断面図。
【図１８】図１４のＣ−Ｃ断面図。
【図１９】図１４のＤ−Ｄ断面図。
【図２０】同圧接結線用コネクタにおける上下ブロック嵌合状態の背面図。
【図２１】図８及び図１４のＡ−Ａ断面相当図。
【図２２】図８及び図１４のＢ−Ｂ断面相当図。
【図２３】同コンタクトブロックの平面図。
【図２４】図２３のＡ−Ａ断面図。
【符号の説明】
【００２８】
１  圧接結線用コネクタ
２，２ａ，２ｂ  電線保持ブロック
３  コンタクトブロック
１０  上ブロック
２０  下ブロック
２３，２３ａ，２３ｂ  電線保持孔（保持孔）
３１  開口面
４  電線
５  圧接端子
２５  受入溝
５１  芯線圧接用Ｕ字刃
５１ａ  芯線圧接用スリット（上段）
５１ｂ  芯線圧接用スリット（下段）
５３  電線保持用Ｕ字刃
５３ａ  電線保持用スリット（上段）
５３ｂ  電線保持用スリット（下段）
【図１】
2006236854.tif 000003
【図２】
2006236854.tif 000004
【図３】
2006236854.tif 000005
【図４】
2006236854.tif 000006
【図５】
2006236854.tif 000007
【図６】
2006236854.tif 000008
【図７】
2006236854.tif 000009
【図８】
2006236854.tif 000010
【図９】
2006236854.tif 000011
【図１０】
2006236854.tif 000012
【図１１】
2006236854.tif 000013
【図１２】
2006236854.tif 000014
【図１３】
2006236854.tif 000015
【図１４】
2006236854.tif 000016
【図１５】
2006236854.tif 000017
【図１６】
2006236854.tif 000018
【図１７】
2006236854.tif 000019
【図１８】
2006236854.tif 000020
【図１９】
2006236854.tif 000021
【図２０】
2006236854.tif 000022
【図２１】
2006236854.tif 000023
【図２２】
2006236854.tif 000024
【図２３】
2006236854.tif 000025
【図２４】
2006236854.tif 000026